(57)【要約】【課題】同軸コネクタを構成する二つの接続体を相互に乖離させる外力が作用した場合にも、それら二つの接続体をロックするロック部材が本体部から分離しにくい同軸コネクタを得る。【解決手段】ハウジングブロック３の本体部としてのハウジング３１に、レセプタクルに係合して当該レセプタクルとの結合状態をロックするロックアーム３２が固定される。そして、ハウジング３１には、ハウジングブロック３とレセプタクルとの乖離方向（Ｘ方向）に面する前端面３１ｇと、当該乖離方向（Ｘ方向）に開口する差込穴３１ｆとが形成される。ロックアーム３２の舌片３２ｄが、差込穴３１ｆに、当該ロックアーム３２の後端面３２ｅがハウジング３１の前端面３１ｇに当接するまで圧入され、以てロックアーム３２がハウジング３１に固定される。【選択図】図７
2008226732.tif 000002
【特許請求の範囲】
【請求項１】
同軸ケーブルの内部導体に接続される信号ポストと、該信号ポストに絶縁体を介して外嵌され当該同軸ケーブルの外部導体に接続されるグラウンドコンタクトと、を有する同軸ケーブル接続体と、
信号端子を有する信号コンタクトと、該信号コンタクトに絶縁体を介して外嵌されグラウンド端子を有するグラウンドケースと、を有する固定側接続体と、を備え、
前記同軸ケーブル接続体と前記固定側接続体とを相互に嵌合して結合することにより、前記信号ポストと前記信号コンタクトとが導通されるとともに、前記グラウンドコンタクトと前記グラウンドケースとが導通されて、前記内部導体と前記信号端子とが導通されるとともに、前記外部導体と前記グラウンド端子とが導通される同軸コネクタにおいて、
前記同軸ケーブル接続体および固定側接続体のうちいずれか一方の本体部に、他方と係合して当該他方との結合状態をロックするロックアームが固定され、
前記本体部には、前記同軸ケーブル接続体と固定側接続体との乖離方向に面する衝合面と、当該乖離方向に開口するロックアーム圧入孔とが形成され、
前記ロックアームは、前記ロックアーム圧入孔に、当該ロックアームの一部が前記衝合面に当接する位置まで圧入されて前記本体部に固定されることを特徴とする同軸コネクタ。
【請求項２】
請求項１に記載の同軸コネクタの同軸ケーブル接続体であって、その本体部に前記ロックアームが取り付けられた同軸ケーブル接続体。
【請求項３】
請求項１に記載の同軸コネクタの固定側接続体であって、その本体部に前記ロックアームが取り付けられた固定側接続体。
【発明の詳細な説明】
【技術分野】
【０００１】
本発明は、同軸コネクタの接続体に関する。
【背景技術】
【０００２】
従来の同軸コネクタとしては、例えば、特許文献１に示すように、同軸ケーブルを基板接続用の端子に接続するものがある。すなわち、同軸コネクタは着脱自在に嵌合されるプラグとレセプタクルとを備え、それらプラグとレセプタクルとを相互に嵌合して結合することにより、プラグ側の信号芯線（プラグ信号芯線）とレセプタクル側の信号芯線（レセプタクル信号芯線）とが導通されるとともに、プラグ側の芯線用シールド（プラグ芯線用シールド）とレセプタクル側の芯線用シールド（レセプタクル芯線用シールド）とが導通されるようになっている。
【０００３】
このとき、上記レセプタクル信号芯線には信号端子（レセプタクル信号電極）が一体に形成されるとともに、前記レセプタクル芯線用シールドにはグラウンド端子（レセプタクル接地電極）が一体に形成されており、これら信号端子およびグラウンド端子はレセプタクルから突出して、それぞれ、レセプタクル側基板の基板信号線および基板設置線に接続されるようになっている。
【０００４】
ところで、この種の同軸コネクタでは、プラグとレセプタクルとを相互に嵌合して結合した後は、止めねじを用いたり、合成樹脂等からなる本体部に一体成型された爪等からなるロック機構を用いたりして、プラグとレセプタクルとの結合状態が維持されるようにするのが一般的である。
【特許文献１】特開２００４−３５５９３２号公報
【発明の開示】
【発明が解決しようとする課題】
【０００５】
しかしながら、止めねじを用いると、当該止めねじの取り外しが煩わしいという問題が生じる。一方、合成樹脂等で爪を本体部に一体成型した場合には、スライド型が必要となって製造に手間がかかる場合があり、また特にプラグとレセプタクルとの着脱回数が多い場合には、爪等が設けられた部分でへたりや、折れ、割れ等が生じる虞があった。
【０００６】
その対策として、本体部とは別体の例えば金属片からなるロック部材を当該本体部に固定する構成が考えられるが、その場合には、同軸ケーブルが引っ張られるなどしてプラグとレセプタクルを相互に乖離させる方向の外力が作用した場合に、当該ロック部材が本体部から抜けないようにしておく必要がある。
【０００７】
そこで、本発明は、同軸コネクタを構成する二つの接続体を相互に乖離させる外力が作用した場合にも、それら二つの接続体をロックするロック部材が本体部から分離しにくい同軸コネクタを得ることを目的とする。
【課題を解決するための手段】
【０００８】
請求項１の発明にあっては、同軸ケーブルの内部導体に接続される信号ポストと、該信号ポストに絶縁体を介して外嵌され当該同軸ケーブルの外部導体に接続されるグラウンドコンタクトと、を有する同軸ケーブル接続体と、信号端子を有する信号コンタクトと、該信号コンタクトに絶縁体を介して外嵌されグラウンド端子を有するグラウンドケースと、を有する固定側接続体と、を備え、上記同軸ケーブル接続体と上記固定側接続体とを相互に嵌合して結合することにより、上記信号ポストと上記信号コンタクトとが導通されるとともに、上記グラウンドコンタクトと上記グラウンドケースとが導通されて、上記内部導体と上記信号端子とが導通されるとともに、上記外部導体と上記グラウンド端子とが導通される同軸コネクタにおいて、上記同軸ケーブル接続体および固定側接続体のうちいずれか一方の本体部に、他方と係合して当該他方との結合状態をロックするロックアームが固定され、上記本体部には、上記同軸ケーブル接続体と固定側接続体との乖離方向に面する衝合面と、当該乖離方向に開口するロックアーム圧入孔とが形成され、上記ロックアームは、上記ロックアーム圧入孔に、当該ロックアームの一部が上記衝合面に当接する位置まで圧入されて上記本体部に固定されることを特徴とする。
【０００９】
請求項２の発明にあっては、上記同軸コネクタの同軸ケーブル接続体であって、その本体部に上記ロックアームが取り付けられた同軸ケーブル接続体である。
【００１０】
請求項３の発明にあっては、上記同軸コネクタの固定側接続体であって、その本体部に上記ロックアームが取り付けられた固定側接続体である。
【発明の効果】
【００１１】
上記本発明によれば、ロックアームをロックアーム圧入孔に圧入することで本体部により容易に一体化させることができる。また、その圧入は、当該ロックアームの一部が衝合面に突き当たるまで行えばよく、より容易にかつより確実に完了させることができる。
【００１２】
さらに、同軸ケーブルや基板等から、ロックアームが固定された本体部に対して、二つの接続体の結合を解除する方向の外力が作用した場合に、本体部の衝合面からロックアームに、当該本体部に作用する外力と同じ方向の力が作用することになるため、当該外力によってロックアームが本体部から離脱するのを抑制することができる。
【発明を実施するための最良の形態】
【００１３】
以下、本発明の好適な実施形態について図面を参照しながら詳細に説明する。
【００１４】
本実施形態では、複数の同軸ケーブルが共通部分としてのハウジングに接続されたハウジングブロックと、基板に固定されたレセプタクルとを相互に嵌合する、多極化された同軸コネクタについて例示する。また、以下の説明では、便宜上、ハウジングブロックのハウジングに対する同軸ケーブルの挿入方向手前側を前方、挿入方向奥側（先側）を後方とする。
【００１５】
図１は、同軸コネクタの全体斜視図、また、図２は、同軸コネクタ内の一部を取り出して示す斜視図である。
【００１６】
図１および図２に示すように、同軸コネクタ１は、複数の同軸ケーブル２が接続される同軸ケーブル接続体としてのハウジングブロック３と、基板（図示せず）に固定される固定端子としての信号ＳＭＤ端子（信号端子）８１およびグラウンドＳＭＤ端子（グラウンド端子）７１を有する固定側接続体としてのレセプタクル４と、を備えており、これらハウジングブロック３とレセプタクル４とを相互に嵌合して結合することで、ハウジングブロック３に設けられた導通部材としての信号ポスト５およびグラウンドコンタクト６と、レセプタクル４に設けられた導通部材としてのグラウンドケース７および信号コンタクト８と、を介して上記同軸ケーブル２の内部導体２１と上記信号ＳＭＤ端子８１、ならびに外部導体２３と上記グラウンドＳＭＤ端子７１とが、相互に導通されるようになっている。
【００１７】
また、図１に示すように、シェル４１の長手方向両端には、ロックアーム３２の先端の係合部３２ｂ（図３，図７等参照）が係合される係合片４１ｃが、シェル４１の上面と下面との間で架設されており（ただし片側のみを示す）、これら係合部３２ｂと係合片４１ｃとが係合することにより、ハウジングブロック３とレセプタクル４とが抜け止めされ、相互に嵌合されて結合された状態が維持されるようになっている。なお、このロックアーム３２によるロックは、当該ロックアーム３２をハウジングブロック３の長手方向中央側に押し込むことで簡単に解除できるようになっている。
【００１８】
同軸ケーブル２は、一般に知られるように、不平衡な電気信号を伝送するための特性インピーダンスが規定された電線であって、本実施形態では、図２に示すように、導体からなる線材としての内部導体２１と、当該内部導体２１の外周を被覆する絶縁体２２と、当該絶縁体２２の外周を被覆する外部導体２３と、さらに最外層の保護被膜としてのシース２４とを備え、略円形断面を有する可撓性のケーブルとして構成されている。
【００１９】
図３は、ハウジングブロックに含まれるハウジングの斜視図、図４は、ハウジングブロックに含まれる組立ブロックの斜視図、また、図５は、ハウジングに対する組立ブロックの差し込み状態を裏面側から見た斜視図である。
【００２０】
図３に示すように、ハウジングブロック３は、略矩形の薄板状に形成されており、複数の断面矩形状の差込孔３１ａが一定の極間ピッチＰ（図１参照）で長手方向に沿って横並びに整列形成されたハウジング３１と、このハウジング３１の長手方向（図中左上−右下方向）両側に設けられてレセプタクル４に係合するロックアーム３２と、を備えている。
【００２１】
ハウジング３１の各差込孔３１ａには、図４に示すように信号ポスト５とグラウンドコンタクト６とがサブアセンブリされた組立ブロック９を、図５に示すように同軸ケーブル２が接続された状態で嵌着される。
【００２２】
このとき、図２に示すように、同軸ケーブル２の内部導体２１は信号ポスト５に接続されるとともに、外部導体２３はグラウンドコンタクト６に接続される。ここで、信号ＳＭＤ端子８１は信号コンタクト８と一体に形成されるとともに、グラウンドＳＭＤ端子７１はグラウンドケース７と一体に形成されている。
【００２３】
図６は、レセプタクルをその中間部で切断した断面斜視図である。図６に示すように、レセプタクル４は、外郭を成す金属製のシェル４１と、このシェル４１内に嵌挿される合成樹脂製の絶縁ボディ４２と、を備え、さらに、この絶縁ボディ４２に形成された複数の差込形状４２ａに嵌挿（圧入）されたグラウンドケース７および信号コンタクト８を備えている。
【００２４】
シェル４１の前端部は、ハウジング３１の後部に段部をもって形成された図３に示す嵌合部３１Ｍの外側に着脱可能に嵌合されることにより、ハウジングブロック３とレセプタクル４とが結合される。
【００２５】
図７は、ハウジングブロックの分解斜視図、図８は、ハウジングにロックアームを取り付ける様子を外側方から見た要部斜視図、また、図９は、ハウジングにロックアームを取り付ける様子を内側方から見た要部斜視図である。なお、図１，３，７，８，９中に示す矢印Ｘは、ハウジングブロック３を基準として、当該ハウジングブロック３がレセプタクル４から乖離する方向（乖離方向）を示す。
【００２６】
図７に示すように、ハウジングブロック３の本体部としてのハウジング３１は、合成樹脂によって全体的に略矩形の薄板状に形成され、その内部に、短手方向（図中左下−右上方向）に貫通する差込孔３１ａが長手方向（図中左上−右下方向）に複数形成されている。また、ハウジング３１の長手方向両端部には、同軸ケーブル２の挿入方向手前側（＝乖離方向；Ｘ方向）に向けて突出するロックアーム３２の取付突起３１ｂが形成されている。なお、取付突起３１ｂの根元には段差部３１ｃが形成され、その分だけ当該取付突起３１ｂはハウジング３１の本体側と比べて厚み方向に薄くなっている。
【００２７】
そして、ハウジング３１の長手方向両端部にはロックアーム３２のガイド３１ｄが形成されるとともに、取付突起３１ｂの外側面には係止凹部３１ｅが形成され、かつ、その取付突起３１ｂの内側面に沿った本体側に差込穴３１ｆが形成されている。この差込穴３１ｆは、ハウジングブロック３のレセプタクル４からの乖離方向（各図中Ｘ方向）に開口している。
【００２８】
このロックアーム３２は、ハウジング３１の長手方向両端縁部の形状に沿って略クランク状に折曲形成されており、その基端部（前端部）には取付突起３１ｂの上側に跨がる断面逆Ｕ字状の嵌着部３２ａが形成されるとともに、先端部（後端部）にはレセプタクル４に係合する係合部３２ｂが形成され、さらに、嵌着部３２ａの外側面には係止凹部３１ｅに係合する切起し爪３２ｃが形成されるとともに、嵌着部３２ａの内側面には差込穴３１ｆに圧入される舌片３２ｄが突設されている。
【００２９】
そして、図８，図９に示すように、ロックアーム３２は、ハウジング３１の長手方向両端縁部にあてがわれて後方に押し込まれることにより、嵌着部３２ａが取付突起３１ｂに被さり、かつ先端部がガイド３１ｄにガイドされつつ後方に移動して、舌片３２ｄが差込穴３１ｆに圧入されるとともに、切起し爪３２ｃが係止凹部３１ｅに係止される。すなわち、本実施形態では、この差込穴３１ｆがロックアーム圧入孔に相当する。
【００３０】
そして、ロックアーム３２のハウジング３１に対する取り付けが完了した状態では、図１や図３に示すように、ロックアーム３２の嵌着部３２ａの後端面３２ｅと段差部３１ｃの前端面３１ｇとが相互に当接している。なお、この前端面３１ｇは、本発明の衝合面に相当し、ハウジングブロック３がレセプタクル４から乖離する（嵌合が解除される）方向（各図中Ｘ方向）にほぼ面し、換言すれば、前端面３１ｇの法線方向は当該乖離方向（Ｘ方向）と略一致している。
【００３１】
そして、本実施形態では、図８，９に示すロックアーム３２の舌片３２ｄの差込穴３１ｆへの圧入は、後端面３２ｅが前端面３１ｇに突き当たるまで行われることになる。
【００３２】
以上より、本実施形態によれば、ロックアーム３２の舌片３２ｄを差込穴３１ｆに圧入することで、ロックアーム３２をハウジング３１に容易に一体化することができる。そして、この圧入は、当該ロックアーム３２の嵌着部３２ａの後端面３２ｅがハウジング３１の前端面３１ｇに突き当たるまで行えばよく、より容易にかつより確実に完了させることができる。
【００３３】
さらに、かかる構成により、同軸ケーブル２等からハウジングブロック３に対して、レセプタクル４との結合を解除する方向（すなわちハウジングブロック３がレセプタクルから乖離する方向；Ｘ方向）の外力が作用した場合に、ハウジング３１の前端面３１ｇからロックアーム３２の後端面３２ｅに、当該外力と同じ方向の力が作用することになるため、当該外力によってロックアーム３２が差込穴３１ｆから抜け出してハウジング３１から分離するのを抑制することができる。
【００３４】
以上、本発明の好適な実施形態について説明したが、本発明は上記実施形態には限定されず、種々の変形が可能である。
【００３５】
例えば、導通部材である信号ポスト５、グラウンドコンタクト６、グラウンドケース７および信号コンタクト８は、上記実施形態に限ることなく目的に応じたその他の形状として得ることができ、また、同軸ケーブル接続体であるハウジングブロック３や第２の接続体であるレセプタクル４は、もちろん、それらの形状や構造に限ることは無く、内部の導通部材を保持および保護して相互に着脱できる構造であればよい。
【００３６】
また、上記実施形態では多極化された同軸コネクタを例にとって説明したが、単極の同軸コネクタとしても本発明を同様に実施することができる。
【００３７】
また、上記実施形態では、ロックアームが同軸ケーブル接続体の本体部に設けられる場合を例示したが、本発明は、当該ロックアームが固定側接続体の本体部に設けられる同軸コネクタとしても同様に実施可能である。ただし、この場合の乖離方向は、固定側接続体を基準として当該固定側接続体が同軸ケーブル接続体から乖離する方向となる。
【図面の簡単な説明】
【００３８】
【図１】本発明の一実施形態にかかる同軸コネクタの全体斜視図である。
【図２】本発明の一実施形態にかかる同軸コネクタ内の一部を取り出して示す斜視図である。
【図３】本発明の一実施形態にかかる同軸コネクタの同軸ケーブル接続体としてのハウジングブロックに含まれるハウジングの斜視図である。
【図４】本発明の一実施形態にかかる同軸コネクタの同軸ケーブル接続体としてのハウジングブロックに含まれる組立ブロックの斜視図である。
【図５】本発明の一実施形態にかかる同軸コネクタの同軸ケーブル接続体としてのハウジングブロックに含まれるハウジングに対する組立ブロックの差し込み状態を裏面側から見た斜視図。
【図６】本発明の一実施形態にかかる同軸コネクタの固定側接続体としてのレセプタクルを中間部で切断して拡大した断面斜視図である。
【図７】本発明の一実施形態にかかる同軸コネクタの同軸ケーブル接続体としてのハウジングブロックの分解斜視図である。
【図８】本発明の一実施形態にかかる同軸コネクタの同軸ケーブル接続体としてのハウジングブロックにロックアームを取り付ける様子を外側方から見た要部斜視図である。
【図９】本発明の一実施形態にかかる同軸コネクタの同軸ケーブル接続体としてのハウジングブロックにロックアームを取り付ける様子を内側方から見た要部斜視図である。
【符号の説明】
【００３９】
１  同軸コネクタ
２  同軸ケーブル
２１  内部導体
２３  外部導体
３  ハウジングブロック（同軸ケーブル接続体）
３１  ハウジング（本体部）
３１ｆ  差込穴（ロックアーム圧入孔）
３１ｇ  前端面（衝合面）
３２  ロックアーム
４  レセプタクル（固定側接続体）
５  信号ポスト
６  グラウンドコンタクト
７  グラウンドケース
７１  グラウンドＳＭＤ端子（グラウンド端子）
８  信号コンタクト
８１  信号ＳＭＤ端子（信号端子）
【図１】
2008226732.tif 000003
【図２】
2008226732.tif 000004
【図３】
2008226732.tif 000005
【図４】
2008226732.tif 000006
【図５】
2008226732.tif 000007
【図６】
2008226732.tif 000008
【図７】
2008226732.tif 000009
【図８】
2008226732.tif 000010
【図９】
2008226732.tif 000011